(57)【要約】【課題】本発明は、極めて商品価値の高い画期的な弁当箱を提供することを目的とする。【解決手段】上下に積層し得る複数の蓋11付き容体１と、この蓋11付き容体１を積層状態で束ねる束ね体２とから成る弁当箱であって、前記束ね体２は、前記蓋11付き容体１を載置する載置板体２Ａと、この載置板体２Ａの対向四辺夫々に起伏回動自在に枢着され、最上段の前記容体１の蓋11に設けた被係止部４に係脱自在に係止する係止部３を有する容体支承体２Ｂとで構成したものである。【選択図】図１
2011110309.tif 000002
【特許請求の範囲】
【請求項１】
上下に積層し得る複数の蓋付き容体と、この蓋付き容体を積層状態で束ねる束ね体とから成る弁当箱であって、前記束ね体は、前記蓋付き容体を載置する載置板体と、この載置板体の対向四辺夫々に起伏回動自在に枢着され、最上段の前記容体の蓋に設けた被係止部に係脱自在に係止する係止部を有する容体支承体とで構成し、前記容体の上部開口縁部若しくはこの上部開口縁部に重合する蓋の周縁部に弾性を有する液漏れ体を設け、前記容体支承体を起き回動させた際、前記液漏れ体を変形させて前記係止部が前記被係止部に押し付け係止するように設けて前記容体支承体を構成したことを特徴とする弁当箱。
【請求項２】
前記蓋の上面側周縁部に前記被係止部を設けたことを特徴とする請求項１記載の弁当箱。
【請求項３】
前記容体支承体を起き回動させて前記係止部が前記被係止部に係止した際、前記蓋付き容体の周面に添設状態となるように前記容体支承体を構成したことを特徴とする請求項１，２のいずれか１項に記載の弁当箱。
【請求項４】
前記容体支承体を起き回動させた際、最上段の前記容体の蓋の上面に添設状態となる上面支承部を前記容体支承体に設け、この上面支承部に前記係止部を設けたことを特徴とする請求項１〜３のいずれか１項に記載の弁当箱。
【請求項５】
前記上面支承部の先端縁中央部に指掛け突片を設けたことを特徴とする請求項４記載の弁当箱。
【請求項６】
前記載置板体と前記容体支承体夫々とは互いに水平状態となるまで展開自在に設けたことを特徴とする請求項１〜５のいずれか１項に記載の弁当箱。
【請求項７】
前記蓋に箸入れを設けたことを特徴とする請求項１〜６のいずれか１項に記載の弁当箱。
【発明の詳細な説明】
【技術分野】
【０００１】
本発明は、弁当箱に関するものである。
【背景技術】
【０００２】
従来から、例えば特開２００６−１０２０２７号に開示されるような、容体を上下に積層して成る弁当箱（以下、従来例という。）が提案されている。
【０００３】
この従来例は、上段の容体を閉塞する蓋にバックルを設け、このバックルに設けた係止部を下段の容体に設けた被係止部に係止することで、２つの容体を上下に積層した状態で固定し得るように構成されている。
【先行技術文献】
【特許文献】
【０００４】
【特許文献１】特開２００６−１０２０２７号公報
【発明の概要】
【発明が解決しようとする課題】
【０００５】
ところで、従来例は、バックル付きの蓋の上面に箸入れが設けられているが、このバックル付きの蓋の洗浄の際、バックルと箸入れの蓋とがバタついて非常に煩わしいのが現状である。即ち、蓋（特に箸入れが設けられた蓋）は容体に詰めたゴハンやオカズに直接触れて汚れる部分であり且つ良好な衛生状態が要求される部分であるため念入りに洗う必要があるが、洗剤の付いたスポンジで擦ったり、この洗剤を綺麗に洗い流そうとする際にバックルがバタつくことでストレスを感じてしまうユーザーが多い（食器洗浄機の使用をためらうユーザーも多い。）。
【０００６】
また、従来例は、前述したようにバックルは上方から下方へと回動させて下段の容体に係止する構造の為、例えばカバンなどの狭い部位に収納しようとする際にバックルが何か引っ掛かって係脱してしまい、この場合、上下に積層する容体同士が崩れてしまうのは勿論、バックル付きの蓋体が容体から外れて容体内のものがこぼれてしまう場合があるなどの問題点がある。
【０００７】
本発明は、上述した問題点を解決する極めて商品価値の高い画期的な弁当箱を提供するものである。
【課題を解決するための手段】
【０００８】
添付図面を参照して本発明の要旨を説明する。
【０００９】
上下に積層し得る複数の蓋11付き容体１と、この蓋11付き容体１を積層状態で束ねる束ね体２とから成る弁当箱であって、前記束ね体２は、前記蓋11付き容体１を載置する載置板体２Ａと、この載置板体２Ａの対向四辺夫々に起伏回動自在に枢着され、最上段の前記容体１の蓋11に設けた被係止部４に係脱自在に係止する係止部３を有する容体支承体２Ｂとで構成し、前記容体１の上部開口縁部１ａ若しくはこの上部開口縁部１ａに重合する蓋11の周縁部11ａに弾性を有する液漏れ体５を設け、前記容体支承体２Ｂを起き回動させた際、前記液漏れ体５を変形させて前記係止部３が前記被係止部４に押し付け係止するように設けて前記容体支承体２Ｂを構成したことを特徴とする弁当箱に係るものである。
【００１０】
また、前記蓋11の上面側周縁部に前記被係止部４を設けたことを特徴とする請求項１記載の弁当箱に係るものである。
【００１１】
また、前記容体支承体２Ｂを起き回動させて前記係止部３が前記被係止部４に係止した際、前記蓋11付き容体１の周面に添設状態となるように前記容体支承体２Ｂを構成したことを特徴とする請求項１，２のいずれか１項に記載の弁当箱に係るものである。
【００１２】
また、前記容体支承体２Ｂを起き回動させた際、最上段の前記容体１の蓋11の上面に添設状態となる上面支承部２ａを前記容体支承体２Ｂに設け、この上面支承部２ａに前記係止部３を設けたことを特徴とする請求項１〜３のいずれか１項に記載の弁当箱に係るものである。
【００１３】
また、前記上面支承部２ａの先端縁中央部に指掛け突片２ａ’を設けたことを特徴とする請求項４記載の弁当箱に係るものである。
【００１４】
また、前記載置板体２Ａと前記容体支承体２Ｂ夫々とは互いに水平状態となるまで展開自在に設けたことを特徴とする請求項１〜５のいずれか１項に記載の弁当箱に係るものである。
【００１５】
また、前記蓋11に箸入れ11ｂを設けたことを特徴とする請求項１〜６のいずれか１項に記載の弁当箱に係るものである。
【発明の効果】
【００１６】
本発明は上述のように構成したから、前述した従来例と異なり、ストレスを感じることなく良好に洗浄することができ、しかも、堅固に束ね固定でき、液漏れも良好に防止し得ることになり、ひいては、例えば保温性・保冷性にも秀れることになり、そして更に、上下に積層する蓋付き容体を束ねるものが不意に外れてしまうことがないなど極めて商品価値の高い画期的な弁当箱となる。
【００１７】
また、請求項２記載の発明においては、より一層液漏れ体が奏する種々の効果を確実に発揮させることができるなど極めて商品価値の高い画期的な弁当箱となる。
【００１８】
また、請求項３記載の発明においては、上下に積層する蓋付き容体を確実に支承することができ、しかも、コンパクトに束ねることができるなど極めて商品価値の高い画期的な弁当箱となる。
【００１９】
また、請求項４記載の発明においては、容体支承体を起き回動させる一連の動作で簡易且つ確実に被係止部に対して係止部を係止させることができ、しかも、上下に積層する蓋付き容体を堅固で良好に束ねることができるなど極めて商品価値の高い画期的な弁当箱となる。
【００２０】
また、請求項５記載の発明においては、被係止部から係止部を係脱する操作が簡易且つ迅速に行えることになるなど極めて商品価値の高い画期的な弁当箱となる。
【００２１】
また、請求項６記載の発明においては、より一層洗浄し易いなど極めて商品価値の高い画期的な弁当箱となる。
【００２２】
また、請求項７記載の発明においては、前述した従来例に比して機能的に劣ることなく、前述した作用効果を確実に発揮し得ることになるなど極めて商品価値の高い画期的な弁当箱となる。
【図面の簡単な説明】
【００２３】
【図１】本実施例の使用状態を示す斜視図である。
【図２】本実施例を示す分解斜視図である。
【図３】本実施例に係る要部を示す平面図である。
【図４】本実施例に係る要部を示す断面図である。
【図５】本実施例に係る要部を示す断面図である。
【図６】本実施例に係る要部の説明断面図である。
【図７】本実施例に係る要部の説明断面図である。
【発明を実施するための形態】
【００２４】
好適と考える本発明の実施形態を、図面に基づいて本発明の作用を示して簡単に説明する。
【００２５】
束ね体２の載置板体２Ａに複数の蓋付き容体１を積層状態に載置し、載置板体２Ａの対向四辺夫々に起伏回動自在に枢着した容体支承体２Ｂを上方に回動させて、最上段の容体１の蓋11に設けた被係止部４に係止部３を係止すると、この上下に積層した蓋付き容体１は容体支承体２Ｂにより支承されて束ねられる。
【００２６】
この際、係止部３は被係止部４に対して、容体１の上部開口縁部１ａ若しくはこの上部開口縁部１ａに重合する蓋11の周縁部11ａに設けた液漏れ体５を変形させて押し付け係止しており、即ち、液漏れ体５を押し潰すようにして係止部３が被係止部４に係止するから良好な密着状態が得られて液漏れ効果（その他にも例えば保温・保冷効果）が増すことになり、しかも、この液漏れ体５の弾性から生じる反発により係止方向に付勢力が生じることになり、被係止部４に対する係止部３の堅固な係止状態が得られ良好な束ね状態が得られることになる。
【００２７】
ところで、本発明は、この上下に積層する蓋11付き容体１を束ねる束ね体２は、その構造上、おかずやご飯などに直接触れる部位ではなく、過度な衛生性が要求されるものではないから迅速且つ良好に洗浄することができ、しかも、この容体１を束ねるものに箸入れが設けられていないから、前述した従来例に比してストレスを感じることなく良好に洗浄することができる。
【００２８】
また、本発明は、束ね体２を構成する容体支承体２Ｂが下方から上方へ回動させて最上段の容体１の蓋11に設けた被係止部４に係止部３を係止する構造であるから、この複数の蓋11付き容体１を束ねた状態で例えばカバンなどの箇所に入れようとする際、被係止部４から係止部３を係脱させる原因となる力が作用することなく、むしろ容体支承体２Ｂには蓋11付き容体１側へ押し付ける力が作用するから被係止部４から係止部３が係脱してしまう心配はない。万一何らかの原因で被係止部４から係止部３が係脱したとしても、容体支承体２Ｂに支承されて蓋11付き容体１同士が崩れてしまうことはなく、容体１内のものがこぼれる心配もない。ちなみに、カバン内から取り出す際には容体支承体２Ｂが何かに引っ掛かり被係止部４から係止部３を係脱させる原因となる力が作用する場合もあるが、仮に被係止部４から係止部３が係脱したとしても前述したように問題はない。
【実施例】
【００２９】
本発明の具体的な一実施例について図面に基づいて説明する。
【００３０】
本実施例は、上下に積層し得る複数の蓋11付き容体１と、この蓋11付き容体１を積層状態で束ねる束ね体２とから成る弁当箱である。
【００３１】
具体的には、蓋11付き容体１は、図１，２に図示したように適宜な金属製（例えば１８−８ステンレス製）の細型となる平面視長方形状の容体１と、この容体１の上部開口部を閉塞する合成樹脂製の平面視当方形状の蓋11とで構成されている。尚、容体１は合成樹脂製でも良く、一方、蓋11は金属製（例えば１８−８ステンレス製）でも良い。この金属としてのステンレスは保温性・保冷性に秀れ、しかも、臭いや汚れを吸い付けず清潔であり、この種の製品を構成する素材として最適である。
【００３２】
また、蓋11の下面側周縁部には凹溝11ａが周方向に連続する状態（囲繞状態）で形成されており、この凹溝11ａは容体１の上部開口縁部１ａに嵌合し得るように構成されている。
【００３３】
また、蓋11の凹溝11ａには、適度な弾性を有する合成樹脂製の環状の液漏れ体５（パッキン）が設けられ、この液漏れ体５は、蓋11で容体１を閉塞した際、容体１の上部開口縁部１ａに重合するように構成されている。
【００３４】
また、蓋11の上面側周縁部には、周方向に長さを有して連続する凸部４が設けられており、この凸部４は後述する束ね体２に係る容体支承体２Ｂの係止部３が乗り越え係止する被係止部４として構成されている。
【００３５】
また、積層する蓋11付き容体１のうちの一つの容体１の蓋11には、図４に図示したように凹部11ｂ’と該凹部11ｂ’を閉塞する開閉蓋11ｂ”とから成る箸入れ11ｂが設けられている。
【００３６】
束ね体２は、蓋11付き容体１を載置する載置板体２Ａと、この載置板体２Ａの対向四辺夫々に起伏回動自在に枢着される容体支承体２Ｂとで構成されている。
【００３７】
載置板体２Ａは、図１〜３に図示したように適宜な合成樹脂製の部材で形成され、前後左右に４つの辺部を有する板状体であり、上面に前述した蓋11付き容体１を載置し得るように構成されている。符号２Ａ’は肉抜き孔である。
【００３８】
容体支承体２Ｂは、図１〜３に図示したように適宜な合成樹脂製の部材で形成された板状体であり、載置板体２Ａの４つの辺部夫々にヒンジ部６を介して起伏回動自在に枢着されており、載置板体２Ａと容体支承体２Ｂ夫々とは互いに水平状態となるまで展開自在に設けられている。
【００３９】
また、容体支承体２Ｂは、起き回動させた際、載置板体２Ａに載置した蓋11付き容体１の周面に添設状態となるように構成されており、上下に積層した２つの蓋11付き容体１を支承し得る高さに設定されている。尚、この容体支承体２Ｂの高さは積層する蓋11付き容体１の数を考慮して適宜設定される。
【００４０】
また、容体支承体２Ｂは、最上段の容体１の蓋11に設けた被係止部４に係脱自在に係止する係止部３が設けられている。
【００４１】
具体的には、容体支承体２Ｂを起き回動させた際、最上段の前記容体１の蓋11の上面に添設状態となる上面支承部２ａを容体支承体２Ｂに設け、この上面支承部２ａに係止部３を設けている。
【００４２】
この係止部３は凸部を設けて構成されており、容体支承体２Ｂを起き回動させた際、被係止部４に乗り越え係止するように構成されている。
【００４３】
従って、容体支承体２Ｂを起き回動させた際、液漏れ体５を弾圧変形させて係止部３が被係止部４に押し付け係止することになる。
【００４４】
また、容体支承体２Ｂに係る上面支承部２ａの先端縁中央部には、指掛け突片２ａ’が突出状態に設けられている。
【００４５】
従って、この指掛け突片２ａ’に指を掛けて外側へ開いて上面支承部２ａに均等に力を加えることで、被係止部４に係止する係止部３は良好に係脱することになる。
【００４６】
符号２Ｂ’は肉抜き孔である。
【００４７】
以上の構成から成る複数の蓋11付き容体１を束ね体２で積層状態に束ねる場合を説明する。
【００４８】
図６に図示したように束ね体２の載置板体２Ａに複数の蓋付き容体１を積層状態に載置する。この際、最上段となる蓋11付き容体１は、蓋11に箸入れ11ｂを設けたものでも、箸入れ11ｂを設けていないものでも良い。
【００４９】
続いて、図７に図示したように４つの容体支承体２Ｂ夫々を上方に起き回動させて、最上段の容体１の蓋11に設けた被係止部４に係止部３を係止すると、この上下に積層した蓋付き容体１は容体支承体２Ｂにより支承されて束ねられる。
【００５０】
この際、係止部３は被係止部４に対して、容体１の上部開口縁部１ａに重合する蓋11の周縁部11ａに設けた液漏れ体５を変形させて押し付け係止する。
【００５１】
本実施例は上述のように構成したから、容体１の上部開口縁部１ａと蓋11の周縁部11ａとの間に配される液漏れ体５を押し潰すようにして係止部３が被係止部４に係止するから良好な密着状態が得られて液漏れ効果（その他にも例えば保温・保冷効果）が増すことになり、しかも、この液漏れ体５の弾性から生じる反発により係止方向に付勢力が生じることになり、被係止部４に対する係止部３の堅固な係止状態が得られ良好な束ね状態が得られることになる。
【００５２】
また、本実施例は、束ね体２を構成する容体支承体２Ｂが下方から上方へ回動させて最上段の容体１の蓋11に設けた被係止部４に係止部３を係止する構造であるから、この複数の蓋11付き容体１を束ねた状態で例えばカバンなどの箇所に入れようとする際、被係止部４から係止部３を係脱させる原因となる力が作用することなく、むしろ容体支承体２Ｂには蓋11付き容体１側へ押し付ける力が作用するから被係止部４から係止部３が係脱してしまう心配はない。
【００５３】
また、本実施例は、蓋11の上面側周縁部に被係止部４を設けたから、蓋11の下面側周縁部11ａに設けた液漏れ体５を確実に弾圧変形させることができ、より一層液漏れ体５が奏する種々の効果を確実に発揮させることができる。
【００５４】
また、本実施例は、容体支承体２Ｂを起き回動させて係止部３が被係止部４に係止した際、蓋11付き容体１の周面に添設状態となるように容体支承体２Ｂを構成したから、上下に積層する蓋11付き容体１を四方から確実に支承することができ、しかも、容体支承体２Ｂは板状体で嵩張らずコンパクトに束ねることができる。
【００５５】
また、本実施例は、容体支承体２Ｂを起き回動させた際、最上段の容体１の蓋11の上面に添設状態となる上面支承部２ａを容体支承体２Ｂに設け、この上面支承部２ａに係止部３を設けたから、容体支承体２Ｂを起き回動させる一連の動作で簡易且つ確実に被係止部４に対して係止部３を係止させることができ、しかも、上下に積層する蓋11付き容体１を堅固で良好に束ねることができる。
【００５６】
また、本実施例は、上面支承部２ａの先端縁中央部に指掛け突片２ａ’を設けたから、この指掛け突片２ａ’に指を掛けるだけで被係止部４から係止部３を係脱する操作が簡易且つ迅速に行えることになる。
【００５７】
また、本実施例は、載置板体２Ａと容体支承体２Ｂ夫々とは互いに水平状態となるまで展開自在に設けたから、より一層洗浄し易くなる。
【００５８】
また、本実施例は、蓋11に箸入れ11ｂを設けたから、前述した従来例に比して機能的に劣ることなく、前述した作用効果を確実に発揮し得ることになる。
【００５９】
また、本実施例に係る蓋11付き容体１と束ね体２とからなる弁当箱は細型であるからカバンなどに嵩張らず収納し易い。専用のポーチを設けることで更に便利となる。
【００６０】
尚、本発明は、本実施例に限られるものではなく、各構成要件の具体的構成は適宜設計し得るものである。
【符号の説明】
【００６１】
１  容体
１ａ  上部開口縁部
２  束ね体
２ａ  上面支承部
２Ａ  載置板体
２Ｂ  容体支承体
３  係止部
４  被係止部
５  液漏れ体
11  蓋
11ａ  周縁部
11ｂ  箸入れ
【図１】
2011110309.tif 000003
【図２】
2011110309.tif 000004
【図３】
2011110309.tif 000005
【図４】
2011110309.tif 000006
【図５】
2011110309.tif 000007
【図６】
2011110309.tif 000008
【図７】
2011110309.tif 000009